(57)【要約】      （修正有）【課題】全方向への執筆が可能な万年筆を提供する。【解決手段】内部にインキ収納空間１１が形成される胴軸部材１と、胴軸部材の先端に設置され、インキ収納空間に収納されるインクを導くためのペン芯部材２と、中央スリット３２を有する２つのペン先３１ａ、３１ｂを含み、２つのペン先が上下に畳んで２つのペン先の間に横スリットが形成されるように挟まれ、２つのペン先の先端が合わせて少なくとも４つのインクスリットを有する球体のペンポイントを形成するペン先部材３と、を含み、それぞれのインクスリットが中央スリットおよびペン芯部材によりインキ収納空間に連通する。【選択図】図１
0003213982.tif 000002
【実用新案登録請求の範囲】
【請求項１】
内部にインキ収納空間が形成される胴軸部材と、
前記胴軸部材の先端に設置され、前記インキ収納空間に収納されるインクを導くためのペン芯部材と、
中央スリットを有する２つのペン先を含み、前記２つのペン先が上下に畳んで前記２つのペン先の間に横スリットが形成されるように挟まれ、前記２つのペン先の先端が合わせて少なくとも４つのインクスリットを有するペンポイントを形成するペン先部材と、
を含み、
それぞれの前記インクスリットが前記中央スリットおよび前記ペン芯部材により前記インキ収納空間に連通することを特徴とする全方向への執筆が可能な万年筆。
【請求項２】
前記ペンポイントが球体であることを特徴とする請求項１に記載の全方向への執筆が可能な万年筆。
【請求項３】
前記球体がそれぞれ前記ペン先の先端に位置する２つの半球体を含むことを特徴とする請求項２に記載の全方向への執筆が可能な万年筆。
【請求項４】
前記ペン先部材が前記ペン芯部材にある被係合部に係合する係合部を有することを特徴とする請求項１に記載の全方向への執筆が可能な万年筆。
【請求項５】
前記横スリットが前記球体の二等分線に沿って延伸し、前記球体を二等分することを特徴とする請求項２または３に記載の全方向への執筆が可能な万年筆。
【請求項６】
前記中央スリットが前記ペン先の中心線に沿って延伸し、前記球体を二等分することを特徴とする請求項３に記載の全方向への執筆が可能な万年筆。
【請求項７】
前記２つのペン先がそれぞれ上ペン先および下ペン先であり、前記上ペン先が形成する前記中央スリットの両側の壁面の上下方向の角度が０°２０’０”〜０°３０’０”の角度の間であることを特徴とする請求項１に記載の全方向への執筆が可能な万年筆。
【請求項８】
前記ペン先部材が前記２つのペン先に分解できることを特徴とする請求項１に記載の全方向への執筆が可能な万年筆。
【請求項９】
前記ペン先部材が一体形成のものであることを特徴とする請求項１に記載の全方向への執筆が可能な万年筆。
【考案の詳細な説明】
【技術分野】
【０００１】
本考案は万年筆に関し、特に、全方向への執筆が可能な万年筆に関する。
【背景技術】
【０００２】
硬筆習字の風潮の流行りに伴い、多くの人は万年筆で筆を執る素晴しさを再び味わっている。万年筆は、主に、正式の書類や書類のサインの場合に適用されている。従来の万年筆の先端の構造はペン芯（ｆｅｅｄ）およびペン先（ｎｉｂ）を含む。
【０００３】
しかしながら、従来のペン先のデザインに制限され、ペン芯がペン先の上に位置する方法で執筆すると、ペン先のスリット（ｓｌｉｔ）が閉まり、インクが流される毛細管現象（毛管現象とも呼ばれる）が失われてインクが出て来ない。このため、殆どの万年筆は、ペン先がペン芯の上に位置する正面だけで執筆し、反面や他の方向で執筆するとインクが出て来ない場合がある。これに鑑にして、市場には正、反面で執筆できる万年筆がある。しかしながら、このような万年筆が執筆できる方向に対して不完全である。
【考案の概要】
【考案が解決しようとする課題】
【０００４】
このため、本考案の目的は、各方向に書くことができる全方向への執筆が可能な万年筆を提供する。
【０００５】
本考案が課題を解決するための手段は、内部にインキ収納空間が形成される胴軸部材と、前記胴軸部材の先端に設置され、前記インキ収納空間に収納されるインクを導くためのペン芯部材と、中央スリットを有する２つのペン先を含み、前記２つのペン先が上下に畳んで前記２つのペン先の間に横スリットが形成されるように挟まれ、前記２つのペン先の先端が合わせて少なくとも４つのインクスリットを有するペンポイントを形成するペン先部材と、を含み、それぞれの前記インクスリットが前記中央スリットおよび前記ペン芯部材により前記インキ収納空間に連通することを特徴とする全方向への執筆が可能な万年筆を提供する。
【０００６】
本考案の１つの実施例において、前記ペンポイントが球体であることを特徴とする全方向への執筆が可能な万年筆を提供する。
【０００７】
本考案の１つの実施例において、前記球体がそれぞれ前記ペン先の先端に位置する２つの半球体を含むことを特徴とする全方向への執筆が可能な万年筆を提供する。
【０００８】
本考案の１つの実施例において、前記ペン先部材が前記ペン芯部材にある被係合部に係合する係合部を有することを特徴とする全方向への執筆が可能な万年筆を提供する。
【０００９】
本考案の１つの実施例において、前記横スリットが前記球体の二等分線に沿って延長し、前記球体を二等分することを特徴とする全方向への執筆が可能な万年筆を提供する。
【００１０】
本考案の１つの実施例において、前記中央スリットが前記ペン先の中心線に沿って延長し、前記球体を二等分することを特徴とする全方向への執筆が可能な万年筆を提供する。
【００１１】
本考案の１つの実施例において、前記２つのペン先がそれぞれ上ペン先および下ペン先であり、前記上ペン先が形成する前記中央スリットの両側の壁面の上下方向の角度が０°２０’０”〜０°３０’０”の角度の間であることを特徴とする全方向への執筆が可能な万年筆を提供する。
【００１２】
本考案の１つの実施例において、前記ペン先部材が前記２つのペン先に分解できることを特徴とする全方向への執筆が可能な万年筆を提供する。
【００１３】
本考案の１つの実施例において、前記ペン先部材が一体形成のものであることを特徴とする全方向への執筆が可能な万年筆を提供する。
【００１４】
本考案に係る全方向への執筆が可能な万年筆に採用された技術手段により、中央スリットがペンポイントの正面および反面にインクスリットを形成し、且つ、横スリットがペンポイントの左側面および右側面にインクスリットを形成し、これらのインクスリットがインキ収納空間に連通することで、ペンポイントの正面、反面左側面および右側面においてもインクが流れる。そして、インクと紙の間の付着力により、本考案の全方向への執筆が可能な万年筆が全方向への執筆が可能である効果を有される。これによって、利用者がペン先の方向を注意しなくても執筆できるので、使用上により便利になる。
【図面の簡単な説明】
【００１５】
【図１】は本考案に係る第１実施例の全方向への執筆が可能な万年筆を示す斜視図である。
【図２】は本考案に係る第１実施例の全方向への執筆が可能な万年筆の２つのペン先を示す下面概略図である。
【図３】は本考案に係る第１実施例の全方向への執筆が可能な万年筆を示す一部側視爆発概略図である。
【図４】は本考案に係る第１実施例の全方向への執筆が可能な万年筆を示す一部側視概略図である。
【図５】は本考案に係る第１実施例の全方向への執筆が可能な万年筆のペン先部材を示す正面概略図である。
【図６】は本考案に係る第２実施例の全方向への執筆が可能な万年筆を示す一部側視概略図である。
【考案を実施するための形態】
【００１６】
以下、図１〜図６により本発明を実施するための形態を説明する。その説明は本発明を限定するものではなく、本発明の１つの実施例に過ぎない。
【００１７】
図１〜図５に示すように、本考案に係る第１実施例の全方向への執筆が可能な万年筆１００は、内部にインキ収納空間１１が形成される胴軸部材１と、前記胴軸部材１の先端に設置され、前記インキ収納空間１１に収納されるインクを導くためのペン芯部材２と、中央スリット３２を有する２つのペン先３１ａ、３１ｂを含み、前記２つのペン先３１ａ、３１ｂが上下に畳んで前記２つのペン先３１ａ、３１ｂの間に横スリット３３が形成されるように挟まれ、前記２つのペン先の先端が合わせて少なくとも４つのインクスリット３２ａ、３３ａを有するペンポイント３４を形成するペン先部材３と、を含み、それぞれの前記インクスリット３２ａ、３３ａが前記中央スリット３２および前記ペン芯部材２により前記インキ収納空間１１に連通する。
【００１８】
本実施例において、ペン先部材３が、ペン先部材３を清潔やメンテナンスを便利に行うように、２つのペン先３１ａ、３１ｂに分解できる。２つのペン先３１ａ、３１ｂの先端のペンポイント３４がイリジウム・ポイント（Ｉｒｉｄｉｕｍ  ｐｏｉｎｔ）であり、本実施例において、球体であり、これで、異なる方向に執筆するさいに、同じ執筆の手応えがある。他の実施例において、ペンポイント３４が楕円の球体や他の形もでき、ペンポイント３４の形の変化で線の変化ができる。
【００１９】
その中に、図２〜図５に示すように、本考案に係る第１実施例の全方向への執筆が可能な万年筆１００は、中央スリット３２も横スリット３３も毛管現象ができ、インクが中央スリット３２および横スリット３３の側壁面のインクに対する付着力によりペンポイント３４へ流される。中央スリット３２がペン先３１ａ、３１ｂの中心線に沿って延長してペンポイント３４の正面および反面にインクスリット３２ａを形成し、且つ、横スリット３３がペンポイント３４の左側面および右側面にインクスリット３３ａを形成し、これらのインクスリット３２ａ、３３ａがインキ収納空間１１に連通することで、ペンポイント３４の正面、反面左側面および右側面においてもインクが流れる。インクと紙の間の付着力により、本考案の全方向への執筆が可能な万年筆が全方向への執筆が可能である効果を有する。
【００２０】
詳しくは、中央スリット３２と横スリット３３が互いに垂直に設置される。
横スリット３３の球体に形成する２つのインクスリット３３ａが球体の二等分線に沿って延伸し、それぞれ上ペン先３１ａと下ペン先３１ｂに位置するように球体を二等分する。中央スリット３２の球体に形成する２つのインクスリット３２ａがペン先３１ａ、３１ｂの中心線に沿って延伸し、前記球体を二等分する。これにより、これらの４つのインクスリット３２ａ、３３ａがペンポイント３４に平均に分散する。他の実施例において、３つ以上のペン先の畳むことでペンポイント３４に４つを超えるインクスリットを形成することもできる。
【００２１】
図５に示すように、本考案に係る第１実施例の全方向への執筆が可能な万年筆１００は、上ペン先３１ａが形成するインクスリット３２ａの両側の壁面の上下方向の角度θが０°２０’０”〜０°３０’０”の角度の間である。下ペン先３１ｂが形成するインクスリット３２ａの両側の壁面も平行でき、上下方向に０°２０’０”〜０°３０’０”の角度の間である角度θを形成することもできる。これにより、ペンポイント３４と紙の接触面積およびインクが導引される流量の差異ゆえに、本考案の全方向への執筆が可能な万年筆１００は正面や反面に執筆する時に、筆跡の太さの差異がある。もちろん、使用者の各方向における筆跡の太さの要求により、１つや複数に対応するインクスリット３２ａ、３３ａの側壁面において、平行や、０°２０’０”〜０°３０’０”の間の角度範囲である角度θを形成することができる。
【００２２】
図１、２に示すように、ペン先部材３の２つのペン先３１ａ、３１ｂが係合部３５をそれぞれ有する。本実施例において、係合部３５が凸の塊であり、ペン先３１ａ、３１ｂの両側から中央に突出・延長し、ペン先部材３がペン芯部材２に固定されるように、ペン芯部材２にある被係合部２１に係合する。
【００２３】
図６に示すように、本考案に係る第２実施例の全方向への執筆が可能な万年筆１００ａは、その構造が第１実施例の全方向への執筆が可能な万年筆１００と主に同じであるが、その差別は、ペン先部材３が一体形成のものであり、２つのペン先３１ａ、３１ｂがペン先部材３の先端に位置し、係合部３５が２つの凸の塊であり、２つの凸の塊でペン先部材３をペン芯部材２に固定する。
【００２４】
上記の説明はただ本考案の好ましい実施例の説明に過ぎない。この技術に対し、本考案の実用新案登録請求の範囲と上述の説明を基づいて、ほかの変更ができるが、これらの変更は本考案の意匠であるべく、本考案の権利的範囲に包含される。
【符号の説明】
【００２５】
１００、１００ａ  全方向への執筆が可能な万年筆
１                胴軸部材
１１              インキ収納空間
２                ペン芯部材
２１              被係合部
３                ペン先部材
３１ａ            ペン先
３１ｂ            ペン先
３２              中央スリット
３２ａ            インクスリット
３３              横スリット
３３ａ            インクスリット
３４              ペンポイント
３５              係合部
θ                角度
【図１】
0003213982.tif 000003
【図２】
0003213982.tif 000004
【図３】
0003213982.tif 000005
【図４】
0003213982.tif 000006
【図５】
0003213982.tif 000007
【図６】
0003213982.tif 000008